(57)【要約】【課題】簡易な構成でありながら、食品等をはじめとする被包装体の包装を効率よく行うことのできる包装用袋を提供する。【解決手段】包装用袋１００は、被包装物を収容可能な袋状のネット１１０と、このネット１１０の開口部分１１２に固着される基端及び該基端に対向する自由端を備えた蓋体１２０とから構成されている。そして、ネット１１０に被包装物が収容されるとともに、蓋体１２０によりネット１１０の開口部分１１２が覆われるようになっている。【選択図】図１
2014046935.tif 000002
【特許請求の範囲】
【請求項１】
包装対象である被包装体が収容される袋状のネットと、
基端となる一辺が前記ネットの開口部分に固定されるとともに前記基端となる辺に対向する辺が自由端として前記ネットの開口方向に延設された蓋体と、を備える
ことを特徴とする包装用袋。
【請求項２】
前記蓋体が、対向する開口部分に並行して固定される一対の蓋体からなる
請求項１に記載の包装用袋。
【請求項３】
前記蓋体が、フィルム材からなることを特徴とする
請求項１または２に記載の包装用袋。
【発明の詳細な説明】
【技術分野】
【０００１】
この発明は、果物等の被包装物を包装することに用いられる包装用袋に関するものである。
【背景技術】
【０００２】
一般に、果物等の食品は、その販売に際して種々の包装体により包装された状態で陳列されることが多い。すなわち、図１５に例示するように、果物等の被包装物Ｆは、発泡スチロール等の保護ネット２１により側面が保護された状態でトレイ２２上に載置される。そして、図１６に示すように、被包装物Ｆ及びトレイ２２が袋状の透明フィルム２３内に収容され、この状態で透明フィルム２３の両端２３ａ及び２３ｂがトレイ２２の底面に固定される。これにより、被包装物Ｆの包装が完了される。
【先行技術文献】
【特許文献】
【０００３】
【特許文献１】特開２００４−１８７８号公報
【発明の概要】
【発明が解決しようとする課題】
【０００４】
ところで、図１５及び図１６に例示した方法で被包装物を包装しようとすると、被包装物を覆った透明フィルムをトレイに固定する作業が発生し、フィルムをトレイに固定するための粘着材等が必要ともなる。このため、被包装物を包装する上で、包装作業の煩雑化や包装材料の増加等が避けられなかった。
【０００５】
なお、被包装物の包装方法としてはこの他、例えば、特許文献１に記載されているように、トレイに代えてネットを被包装物の包装体に用いるものも知られている。この包装方法では、図１７に示すように、複数の被包装物Ｆがネット１に収容されるとともに、このネット１の開口が、結束具４により結束される。しかし、この特許文献１に記載の包装体を用いるにしろ、別体の結束具４によりネット１の開口を塞ぐ作業が発生するとともに、結束具４といった別部材が必要となり、結局のところ課題の解決には至らない。なお、包装の対象とする被包装物は、上記果物等の食品には限らない。
【０００６】
この発明は、このような従来の技術に存在する問題点に着目してなされたものである。その目的は、簡易な構成でありながら、食品等をはじめとする被包装体の包装を効率よく行うことのできる包装用袋を提供することにある。
【課題を解決するための手段】
【０００７】
上記の目的を達成するために、請求項１に記載の発明は、包装対象である被包装体が収容される袋状のネットと、基端となる一辺が前記ネットの開口部分に固定されるとともに前記基端となる辺に対向する辺が自由端として前記ネットの開口方向に延設された蓋体と、を備えることを要旨とする。
【０００８】
従って、この発明の包装用袋を用いて食品等の被包装物が包装される際には、ネット内に被包装物が収容されると、自由端を有する蓋体によってネットの開口が覆われる。そして、ネットには蓋体の基端が既に固定されていることから、蓋体の基端をネットに固定する作業が発生しない。すなわち、蓋体の自由端をネットに固定するだけでよい。また、蓋体はネットに予め固定されていることから、包装用袋を、蓋体とネットとが一体となった簡易な構成とすることが可能となる。
【０００９】
請求項２に記載の発明は、請求項１に記載の包装用袋において、前記蓋体が、対向する開口部分に並行して固定される一対の蓋体からなることを要旨とする。
この発明によれば、一対の蓋体の自由端の双方もしくは一方によりネットの開口が覆われる。そして、一対の蓋体によりネットの開口が覆われるときには、ネットの開口が二重に覆われ、被包装物がより強固に包装される。また、単一の蓋体のみによりネットの開口が覆われるときには、他方の蓋体の自由度が確保され、例えば、この蓋体に被包装物を示すラベルが付与されるなど、蓋体の用途が拡大されることとなる。このように、この包装用袋によれば、包装用袋の自由度が向上されるとともに、包装用袋の用途の拡充が図られることとなる。
【００１０】
請求項３に記載の発明は、請求項１または２に記載の包装用袋において、前記蓋体が、フィルム材からなることを特徴とすることを要旨とする。
この発明によれば、フィルム材によって蓋体が構成される。こうしたフィルム材は、形状が柔軟に変化可能であるとともに所定の強度を有している。このため、こうしたフィルム材により蓋体が構成されることで、蓋体として柔軟性の確保と強度の維持との好適な両立が図られる。また、例えば、こうしたフィルム材には、被包装物の種別やその出所を示すラベルがフィルム材に貼り付けられることが可能である。このため、被包装物がネットに収容される構成でありながら、こうしたネットを備える包装用袋にラベル等が貼付可能とされる。
【発明の効果】
【００１１】
以上のように、この発明によれば、簡易な構成でありながら、食品等をはじめとする被包装体の包装を効率よく行うことができるという効果を発揮する。
【図面の簡単な説明】
【００１２】
【図１】第１の実施形態の包装用袋を示す斜視図。
【図２】図１の包装用袋を側面から見た概略断面図。
【図３】同包装用袋の使用状態を示す概略断面図。
【図４】第２の実施形態の包装用袋を示す斜視図。
【図５】図４の包装用袋を側面から見た概略断面図。
【図６】同包装用袋の使用状態を示す概略断面図。
【図７】第３の実施形態の包装用袋を示す斜視図。
【図８】図７の包装用袋を側面から見た概略断面図。
【図９】同包装用袋の使用状態を示す概略断面図。
【図１０】第４の実施形態の包装用袋を示す斜視図。
【図１１】図１０の包装用袋を正面から見た正面図。
【図１２】包装用袋の変形例を示す概略断面図。
【図１３】包装用袋の変形例を示す概略断面図。
【図１４】包装用袋の変形例を示す斜視図。
【図１５】従来の被包装物の包装方法を示す斜視図。
【図１６】同じく従来の被包装物の包装方法を示す断面図。
【図１７】同じく従来の被包装物の包装方法を示す斜視図。
【発明を実施するための形態】
【００１３】
（第１の実施の形態）
以下に、この発明を具体化した包装用袋の第１の実施形態を図１〜図３に従って説明する。
【００１４】
図１に示すように、この実施形態の包装用袋１００は、一辺が開口された拡径及び縮径可能なホリプロピレン、ポリエチレン等の合成樹脂製の筒状網よりなるネット１１０を備えている。ネット１１０は、被包装物の種別や大きさに応じて、底部の面積や幅及び高さ等が調整される。
【００１５】
ネット１１０の底面には、該ネット１１０がガゼット折りされることにより折り込み部１１１が形成されている。これにより、包装用袋１００は、折り込み部１１１を底面として自立することが可能となっている。
【００１６】
また、ネット１１０の開口部分１１２には、例えば、厚みが約「３０」〜「２００」ミクロンの一対の透明フィルム１２１及び１２２からなる蓋体１２０が固着されている。
透明フィルム１２１及び１２２は、例えば、長方形状に加工されており、基端となる一辺１２１ａ及び１２２ａ付近の部分が、ネット１１０の開口部分１１２の外側に固着されている。また、この基端となる一辺１２１ａ及び１２２ａに対向する辺１２１ｂ及び１２２ｂが、自由端として延設されている。これにより、透明フィルム１２１及び１２２は、互いに対向した状態で並行に、ネット１１０の開口部分１１２に固着されている。
【００１７】
また、透明フィルム１２１及び１２２の長手方向における両端は、それぞれ、固着されておらず、別体の部材として構成されている。これにより、各透明フィルム１２１及び１２２は、互いに独立して動作可能とされている。
【００１８】
蓋体１２０は、こうした基端及び自由端を備えて構成されることにより、基端によりネット１１０に固定されつつ、この基端以外の部分が動作自由とされている。
なお、ネット１１０は、その両側端１１３が互いに溶着されている。
【００１９】
この包装用袋１００は、以下のように作用する。
図２に、側面から見た包装用袋１００の断面構造の概略を示すように、まず果物等の被包装物Ｆがネット１１０に収容される。次いで、図３に示すように、一方の透明フィルム１２２がネット１１０の開口部分１１２によって形成される開口空間Ｒを覆うように折り曲げられる。また、この折り曲げられた透明フィルム１２２を覆うように他方の透明フィルム１２１が折り曲げられる。そして、例えば、この透明フィルム１２１の自由端となる一辺１２１ｂと該自由端が当接される透明フィルム１２２の上面とが、粘着材１２３により互いに固着される。これにより、被包装物Ｆが包装用袋１００内に収容され、被包装物Ｆの包装作業が終了される。
【００２０】
従って、この実施形態によれば、以下のような効果を得ることができる。
（１）この包装用袋１００においては、被包装物Ｆを収容可能な袋状のネット１１０と、このネット１１０の開口部分１１２に固着される基端及び該基端に対向する自由端を備えた蓋体１２０とから構成されている。そして、ネット１１０に被包装物Ｆが収容されるとともに、蓋体１２０によりネット１１０の開口部分１１２が覆われるようになっている。
【００２１】
このため、包装用袋１００を用いて食品等の被包装物Ｆが包装される際には、ネット１１０内に被包装物Ｆが収容されると、蓋体１２０のうちの基端以外の部分によってネット１１０の開口空間Ｒが覆われる。そして、蓋体１２０の基端が既にネット１１０の開口部分１１２に固着されていることから、蓋体１２０をネット１１０に固着する作業が発生しない。すなわち、蓋体１２０の自由端がネット１１０に固着されるだけで、被包装物Ｆの包装作業が完了される。また、蓋体１２０は、ネット１１０に予め固着されていることから、包装用袋１００が、蓋体１２０とネット１１０とが一体とされた簡易な構成とされる。
【００２２】
（２）蓋体１２０が、ネット１１０の対向する開口部分１１２に並行して固定される一対の蓋体１２０により構成された。
このため、一対の蓋体１２０の自由端（１２１ｂ、１２２ｂ）によりネット１１０の開口空間Ｒが覆われる。そして、一対の蓋体１２０により開口空間Ｒが覆われることで開口空間Ｒが二重に覆われ、被包装物Ｆがより強固に包装される。
【００２３】
（３）蓋体１２０が、透明なフィルム材により構成された。
このため、こうしたフィルム材により蓋体１２０が構成されることで、蓋体１２０として柔軟性の確保と強度の維持との好適な両立が図られる。また、例えば、こうしたフィルム材には、被包装物Ｆの種別やその出所を示すラベルがフィルム材に貼り付けられることが可能である。このため、被包装物Ｆがネット１１０に収容される構成でありながら、こうしたネット１１０を備える包装用袋１００にラベル等を貼付可能とすることができる。また、フィルム材が透明フィルム１２１及び１２２によって構成されたことで、被包装物Ｆの包装が完了された状態でも該被包装物Ｆの視認性が維持される。
【００２４】
（４）ネット１１０は、当該ネット１１０の底面がガゼット折りされることにより形成された折り込み部１１１を有する構成とされた。
このため、ネット１１０は、折り込み部１１１を底として自立することが可能となる。
【００２５】
（５）包装用袋１００が、ネット１１０と蓋体１２０とによって構成された。
このため、蓋体１２０によって包装用袋１００を封止可能としつつも、包装用袋１００内の通気性が維持される。
【００２６】
（第２の実施の形態）
以下に、この発明を具体化した包装用袋の第２の実施形態を、第１の実施の形態との相違点を中心に、図４〜図６を参照して説明する。なお、本実施の形態にかかる包装用袋も、その基本的な構成は第１の実施の形態と同等であり、図４〜図６においても第１の実施の形態と実質的に同一の要素にはそれぞれ同一の符号を付して示し、重複する説明は割愛する。
【００２７】
図４に示すように、この実施形態の包装用袋１００の蓋体１３０は、ネット１１０の開口部分１１２の開口方向に異なる長さで延設された透明フィルム１３１及び１３２によって構成される。ここでの例では、例えば、第１の透明フィルム１３１の長さが、第２の透明フィルム１３２よりも長く形成されている。
【００２８】
この包装用袋１００は、以下のように作用する。
図５に、側面から見た包装用袋１００の断面構造の概略を示すように、まず果物等の被包装物Ｆがネット１１０に収容される。次いで、図６に示すように、第１の透明フィルム１３１がネット１１０の開口部分１１２によって形成される開口空間Ｒを覆うように折り曲げられる。そして、第１の透明フィルム１３１の自由端は、例えば、第２の透明フィルム１３２の外面に貼り付けられた粘着材１３３に固着される。これにより、第１の透明フィルム１３１の自由端と第２の透明フィルム１３２とが互いに固着される。こうして、被包装物Ｆが包装用袋１００内に収容され、被包装物Ｆの包装作業が終了される。
【００２９】
従って、この実施形態によれば、前記（１）、（３）、（４）、（５）の効果が得られるとともに、前記（２）に代えて以下のような効果を得ることができる。
（２Ａ）一対の蓋体１３０が、互いに異なる長さにて、ネット１１０の開口方向に延設された透明フィルム１３１及び１３２によって構成された。
【００３０】
このため、蓋体の形状のバリエーションの拡充が図られ、こうした蓋体による包装方法の自由度が高められることとなる。
（第３の実施の形態）
以下に、この発明を具体化した包装用袋の第３の実施形態を、第１の実施の形態との相違点を中心に、図７〜図９を参照して説明する。なお、本実施の形態にかかる包装用袋も、その基本的な構成は第１の実施の形態と同等であり、図７〜図９においても第１の実施の形態と実質的に同一の要素にはそれぞれ同一の符号を付して示し、重複する説明は割愛する。
【００３１】
図７に示すように、この実施形態の包装用袋１００の蓋体１４０は、ネット１１０の対向する開口部分１１２のうち、一方のみに固着される単一の透明フィルムによって構成される。
【００３２】
この包装用袋１００は、以下のように作用する。
図８に、側面から見た包装用袋１００の断面構造の概略を示すように、まず果物等の被包装物Ｆがネット１１０に収容される。次いで、図９に示すように、単一の蓋体１４０がネット１１０の開口部分１１２によって形成される開口空間Ｒを覆うように折り曲げられる。そして、蓋体１４０の自由端の先端部１４１は、ネット１１０の開口部分１１２の外面に沿うように折り込まれる。また、この先端部１４１と開口部分１１２の外面とが、粘着材１４２により互いに固着される。こうして、被包装物Ｆが包装用袋１００内に収容され、被包装物Ｆの包装作業が終了される。
【００３３】
従って、この実施形態によれば、前記（１）、（３）、（４）、（５）の効果が得られるとともに、前記（２）に代えて以下のような効果を得ることができる。
（２Ｂ）蓋体が、ネット１１０の対向する開口部分１１２のうちの一方に固定される単一の蓋体１４０によって構成された。
【００３４】
このため、ネット１１０には、単一の蓋体１４０のみが設けられればよく、包装用袋１００としての構成がより簡易なものとなる。
（第４の実施の形態）
以下に、この発明を具体化した包装用袋の第４の実施形態を、第１の実施の形態との相違点を中心に、図１０、図１１を参照して説明する。なお、本実施の形態にかかる包装用袋も、その基本的な構成は第１の実施の形態と同等であり、図１０、図１１においても第１の実施の形態と実質的に同一の要素にはそれぞれ同一の符号を付して示し、重複する説明は割愛する。
【００３５】
図１０に示すように、この実施形態の包装用袋１００の蓋体１２０は、透明フィルム１２１及び１２２にそれぞれ、取手用の取手口１２４が対向する位置に形成されている。この取手口１２４は、例えば、透明フィルム１２１及び１２２が楕円形状に切り込まれたり、一部分を残して切り込まれることによりフラップが形成されることにより形成される。
【００３６】
この包装用袋１００は、以下のように作用する。
図１１に、正面から見た包装用袋１００の断面構造の概略を示すように、まず果物等の被包装物Ｆがネット１１０に収容される。次いで、透明フィルム１２１及び１２２の内面の一部分同士が例えば粘着材１２５によって互いに固着される。こうして、被包装物Ｆが包装用袋１００内に収容され、被包装物Ｆの包装作業が終了される。そして、包装用袋１００は、取手口１２４が取手として利用されることにより搬送される。
【００３７】
従って、この実施形態によれば、前記（１）〜（５）の効果が得られるとともに、さらに以下のような効果を得ることができる。
（６）蓋体１２０には、包装用袋１００の取手を構成する取手口１２４が形成された。
【００３８】
このため、ネット１１０の開口部分１１２の覆うために設けられた蓋体１２０の用途がさらに拡充される。このため、こうした蓋体１２０を備える包装用袋１００としての汎用性が高められることとなる。
【００３９】
（変更例）
なお、この実施形態は、次のように変更して具体化することも可能である。
・図１２に示すように、被包装物Ｆの包装後または包装前に、蓋体１２０の中央部等に被包装物Ｆの品質や種類等を表示するラベルＬＢを貼着すること。
【００４０】
・図１３に破線で領域１２６として示すように、被包装物Ｆの包装後または包装前に、蓋体１２０の中央部等に被包装物Ｆの品質や種類等を表示する商品情報を印刷すること。
・図１４に示すように、透明フィルム１２１及び１２２を、ネット１１０の開口部分１１２のうち、中央部分にのみ設けること。
【００４１】
・前記各実施形態において、前記蓋体１２０、１３０、１４０の厚みを、「３０ミクロン」以下、もしくは「２００ミクロン」以上とすること。なお、蓋体１２０、１３０、１４０の厚みが「８０〜２００ミクロン」とされると、蓋体１２０、１３０、１４０の強度とコストとの両立が図られ、特に有効である。
【００４２】
・前記各実施形態において、前記蓋体１２０、１３０、１４０を、半透明フィルム材や色付きフィルム材等の他のフィルム材により構成すること。また、前記蓋体１２０、１３０、１４０を、シール性を有する素材により構成すること。
【００４３】
・前記各実施形態において、前記蓋体１２０、１３０、１４０を、正方形状やアーチ状とすること。
・前記各実施形態において、ネット１１０の側面のみをガゼット折りすること。さらに、ネット１１０の側面及び底面の双方をガゼット折りすること。また、ネット１１０の辺をガゼット折りすることなく、ネットを構成する素材を互いに溶着等により固定すること。
【００４４】
・前記各実施形態において、前記蓋体１２０、１３０、１４０とネット１１０とを、予め溶着すること。
・前記各実施形態において、前記蓋体１２０、１３０、１４０の自由端の表面もしくは裏面に、予め粘着材を設けること。
【符号の説明】
【００４５】
１…ネット、４…結束具、２１…保護ネット、２２…トレイ、２３…透明フィルム、１００…包装用袋、１１０…ネット、１１１…折り込み部、１１２…開口部分、１２０…蓋体、１２１…透明フィルム、１２１ａ…基端、１２１ｂ…自由端、１２２…透明フィルム、１２２ａ…基端、１２２ｂ…自由端、１２４…取手口、１２５…粘着材、１２６…領域、１３０…蓋体、１３１…第１の透明フィルム、１３２…第２の透明フィルム、１３３…粘着材、１４０…蓋体、１４１…先端部、１４２…粘着材、Ｆ…被包装物、Ｒ…開口空間、ＬＢ…ラベル。
【図１】
2014046935.tif 000003
【図２】
2014046935.tif 000004
【図３】
2014046935.tif 000005
【図４】
2014046935.tif 000006
【図５】
2014046935.tif 000007
【図６】
2014046935.tif 000008
【図７】
2014046935.tif 000009
【図８】
2014046935.tif 000010
【図９】
2014046935.tif 000011
【図１０】
2014046935.tif 000012
【図１１】
2014046935.tif 000013
【図１２】
2014046935.tif 000014
【図１３】
2014046935.tif 000015
【図１４】
2014046935.tif 000016
【図１５】
2014046935.tif 000017
【図１６】
2014046935.tif 000018
【図１７】
2014046935.tif 000019